(57)【要約】【課題】遊技客個人が保有するプリペイドカードＢＣ、会員カードＭＣの有価価値を示す度数内訳を正確に表示することができるうえ、遊技にともなって更新される度数値を正確に把握できる遊技システムを提供する。【解決手段】カード処理装置３０には、プリペイドカードＢＣおよび会員カードＭＣの入金種別に対応して、それぞれ関連付けられた度数内訳を価値付け数値として表示するとともに、遊技により更新される度数値の更新機能および優先的に種別に応じた度数を消化する優先順位設定機能を有する表示装置２７を据付する。【選択図】　　　図１
2004065592.tif 000002
【特許請求の範囲】
【請求項１】
それぞれ種類が異なる複数の入金種別によって、有価価値を記憶媒体に関連付ける有価価値付与手段と、
前記記憶媒体に基づく、当該記憶媒体に関連付けられた有価価値を取得するとともに、前記有価価値に応じて遊技媒体の貸出処理をおこなう貸出処理手段を有する記録媒体処理装置とを備え、
当該記録媒体に関連付けられた有価価値を用いて遊技をおこなう遊技システムであって、
前記記録媒体処理装置には、前記複数の入金種別に対応してそれぞれ関連付けられた有価価値を価値付け数値として表示する表示装置が備えられていることを特徴とする遊技システム。
【請求項２】
前記貸出処理手段による遊技媒体の貸出処理にともなって前記有価価値の価値付け数値を更新する更新処理機能を有するとともに、その更新内容に応じた表示制御をおこなう表示制御手段をさらに備えたことを特徴とする請求項１に記載の遊技システム。
【請求項３】
前記価値付け数値として設定された有価価値の消化順序を選択する消化順序選択手段をさらに備え、前記記憶媒体に関連付けられる有価価値のうち、前記消化順序選択手段により設定された消化順序に基づいて、前記貸出制御手段による貸出処理がおこなわれることを特徴とする請求項１または２に記載の遊技システム。
【請求項４】
前記複数の入金種別による入金の選択は、現金による入金に基づいて関連付けられる第一の度数入金、デビット決済による入金に基づいて関連付けられる第二の度数入金、貯玉による入金に基づいて関連付けられる第三の度数入金のうちのいずれかを選択可能であることを特徴とする請求項１〜３のいずれか一つに記載の遊技システム。
【請求項５】
前記表示装置による前記有価価値を表す価値付け数値は、度数に換算されて表示されることを特徴とする請求項１〜４のいずれか一つに記載の遊技システム。
【請求項６】
前記表示制御手段は、前記表示装置の表示画面に表示される表示内容を拡大表示画面、カラー表示画面、アニメーション表示画面などに変更自在な画面変更処理機能をさらに備えることを特徴とする請求項２〜５のいずれか一つに記載の遊技システム。
【発明の詳細な説明】
【０００１】
【発明の属する技術分野】
本発明は、所定の有価価値（度数）が入金されたプリペイドカードＢＣや会員カードＭＣ（記録媒体）を使用して遊技機による遊技をおこなうための遊技システムに関し、特に、取得した有価価値（度数）の内訳を正確に表示することができる表示装置をカード処理装置に備えた遊技システムに関するものである。
【０００２】
【従来の技術】
現在、遊技客がパチンコ機やパチスロ機などの遊技機を設置した遊技店で遊技を行う場合には、（１）遊技機の相互間に設けられたカード処理装置に現金を投入することにより、その現金に対応する度数分パチンコ玉やメダルなどの遊技媒体を借り受けて遊技をおこなう方法、（２）カード発行機から、例えばプリペイドカード（記録媒体）などを事前に購入し、このプリペイドカードＢＣに付与された有価価値（購入度数）に応じて遊技をおこなう方法がある。
【０００３】
プリペイドカードＢＣは、遊技客がカード発行機に現金を投入することにより発行されるものであり、購入したプリペイドカードＢＣをカード処理装置に挿入することにより、カード処理装置に読み取られた識別情報に基づいて管理装置（ターミナルコントローラ）から有価価値を取得し、購入した度数分だけ遊技媒体を借り受けることができる。
【０００４】
また、（３）会員カードＭＣを使用することにより、この会員カードＭＣに所望の度数入金をおこない、この度数入金分の遊技をおこなう方法などがある。この会員カードＭＣの場合においても、カード処理装置が読み取った会員カードＭＣの識別情報に基づいて管理装置から有価価値が取得され、その有価価値を上限とした遊技媒体の貸し出しがおこなわれる。一般的には、１度数が１００円に対応するため、１度数でパチンコ玉を２５個だけ貸り受けることができる。
【０００５】
プリペイドカードＢＣおよび会員カードＭＣを用いて遊技媒体を貸し出した場合には、当該貸し出した遊技媒体に相当する額が有価価値から減算されることになる。すなわち、識別情報のみを磁気記録したプリペイドカードＢＣを適用する遊技システムでは、カード処理装置から遊技媒体の貸し出し情報が識別情報と共に管理装置のコンピュータに送信された後、該識別情報に基づいて検索された有価価値が遊技媒体の貸し出しに応じて減算更新され、この減算更新結果が新たな有価価値としてプリペイドカードＢＣおよび会員カードＭＣの識別情報と共に管理装置の記憶部に記憶されることになる。
【０００６】
また、会員カードＭＣを所持する会員の場合、この会員カードＭＣに関連付けて、例えば、パチンコ機での遊技を終了した際に獲得したパチンコ玉の数量情報（貯玉数）を登録するシステム、いわゆる貯玉システムが構築されている。
【０００７】
この貯玉システムによれば、会員は、貯玉数の範囲内で、パチンコ玉を借り受けて再度遊技をおこなったり（再プレイ）、遊技店内の自動販売機からジュースなどの商品を購入することが可能であり、さらに、通常の煙草などの景品や特殊景品（換金所にて現金に交換可能な景品）を購入することができる。
【０００８】
また、一般の商品を購入する場合や各種サービスに対して代金を支払う場合の方法としては、現金やクレジットカードによるものの他、デビットカード（銀行や郵便貯金のキャッシュカード）によるものがある。このデビットカードによる支払方法においては、クレジットカードによるものと同様に、現金を持ち歩く必要がないため、紛失や盗難といった心配がなくなる点で利用客にメリットがある。
【０００９】
さらに、このデビットカードをクレジットカードと比較した場合には、手持ちのキャッシュカードが利用できるため新たな申し込みの必要がなく年会費や審査も不要であるうえ、利用時点で利用客の銀行口座とデビットカード取扱店舗の銀行口座との間で決済が実施されるため「借り」とはならず安心して商品を購入したりサービスを受けることができる、等々のメリットがある。以上の理由から、近年では、デビットカードを利用したデビット決済により有価価値を取得（度数入金）することもおこなわれている。
【００１０】
【発明が解決しようとする課題】
ところが、上述した従来の遊技システムの場合、以下に示すような問題がある。すなわち、遊技機により表示される度数表示部２３（図５参照）はＬＥＤによる７セグメント表示器が使用されている。このため、遊技客が保有する有価価値（度数）を表す表記は、例えば残度数が「１０」であれば、「１０」というように単純な２桁の数値としてでしか表すことができない。
【００１１】
このため、上述したように貯玉システムを利用した貯玉による引き落としやデビットカード決済による入金の場合、遊技客は、自身が保有する度数分のうちの幾ら分が貯玉による引き落としであるかなどの内訳（現金、デビット決済、貯玉）を確認することができないという問題がある。しかも、遊技客は遊技にともなって減算（消化）される有価価値（度数）が、どの入金分から消化されているかを把握することが困難であるという問題がある。
【００１２】
この発明は、上述した従来技術による問題点を解消されるためになされたものであって、遊技客個人が保有するプリペイドカードＢＣ、会員カードＭＣの度数内訳を正確に確認することができるうえ、遊技により更新される度数値を種類別に正確に把握することができる遊技システムを提供することを目的とする。
【００１３】
【課題を解決するための手段】
本発明の請求項１に係る発明は、それぞれ種類が異なる複数の入金種別によって、有価価値を記憶媒体に関連付ける有価価値付与手段と、前記記憶媒体に基づく、当該記憶媒体に関連付けられた有価価値を取得するとともに、前記有価価値に応じて遊技媒体の貸出処理をおこなう貸出処理手段を有する記録媒体処理装置とを備え、当該記録媒体に関連付けられた有価価値を用いて遊技をおこなう遊技システムであって、前記記録媒体処理装置には、前記複数の入金種別に対応してそれぞれ関連付けられた有価価値を価値付け数値として表示する表示装置が備えられていることを特徴とする。
【００１４】
請求項２に係る発明は、請求項１に係る発明において、前記貸出処理手段による遊技媒体の貸出処理にともなって前記有価価値の価値付け数値を更新する更新処理機能を有するとともに、その更新内容に応じた表示制御をおこなう表示制御手段をさらに備えたことを特徴とする。
【００１５】
請求項３に係る発明は、請求項１または２に係る発明において、前記価値付け数値として設定された有価価値の消化順序を選択する消化順序選択手段をさらに備え、前記記憶媒体に関連付けられる有価価値のうち、前記消化順序選択手段により設定された消化順序に基づいて、前記貸出制御手段による貸出処理がおこなわれることを特徴とする。
【００１６】
請求項４に係る発明は、請求項１〜３のいずれか一つに記載の発明において、前記複数の入金種別による入金の選択は、現金による入金に基づいて関連付けられる第一の度数入金、デビット決済による入金に基づいて関連付けられる第二の度数入金、貯玉による入金に基づいて関連付けられる第三の度数入金のうちのいずれかを選択可能であることを特徴とする。
【００１７】
請求項５に係る発明は、請求項１〜４のいずれか一つに記載の発明において、前記表示装置による前記有価価値を表す価値付け数値は、度数に換算されて表示されることを特徴とする。
【００１８】
請求項６に係る発明は、請求項２〜５のいずれか一つに記載の発明において、前記表示制御手段は、前記表示装置の表示画面に表示される表示内容を拡大表示画面、カラー表示画面、アニメーション表示画面などに変更自在な画面変更処理機能をさらに備えることを特徴とする。
【００１９】
【発明の実施の形態】
以下に添付図面を参照して、この発明に係る遊技システムの好適な実施の形態を詳細に説明する。なお、本実施の形態では、主として本発明をパチンコ遊技に適用した場合を示す。
【００２０】
図１は、本発明の実施の形態である遊技システムを適用したパチンコ遊技システムの概略構成を示すブロック図である。ここで例示するパチンコ遊技システムでは、記録媒体として会員カードＭＣおよびプリペイドカードＢＣ（一般カードＢＣ）を適用する。また、銀行などを利用してデビットカード決済をおこなうことのできるデビットカードを適用する。
【００２１】
会員カードＭＣは、住所や氏名等の会員情報を登録した会員である利用客に対して遊技店が発行する合成樹脂製のカード（ＪＩＳ２）であり、各種情報が磁気記録および印字してある。
【００２２】
具体的には、発行店の識別情報や会員コード等の会員識別情報が磁気記録してあるとともに、発行した店コード、会員コード等の情報が印字してあり、記録内容の一部を目視できるようになっている。
【００２３】
これに対してプリペイドカードＢＣは、任意の一般利用客に対して遊技店が都度発行する紙製の磁気カードであり、上述した会員カードＭＣと同様、各種情報が磁気記録および印字してある。
【００２４】
具体的には、発行店の識別情報、カード固有の識別コード、発行金額、カード種別等が磁気記録してあるとともに、発行店名、カード固有識別情報（例えば発行機番号＋連番）、発行金額および有効期限等が目視できるように印字してある。
【００２５】
これらの会員カードＭＣおよびプリペイドカードＢＣは、その材質や板厚および記録内容が相違するものの、縦横の寸法が同一であるとともに、各種情報を磁気記録するための磁気ストライプも同一の位置に設けてある。
【００２６】
また、会員カードＭＣおよびプリペイドカードＢＣには、それぞれパチンコ玉を借り受ける際の基準となる有価価値、具体的には「度数」と称される有価価値を付与してある。ここでいう「度数」とは、パチンコ玉の貸出処理単位であり、所定のレートで設定してある。
【００２７】
一般的には、１度数が１００円に対応し、１度数でパチンコ玉を２５個だけ貸し出すように設定してある。本実施の形態の場合、それぞれの度数は、個々の会員カードＭＣ、プリペイドカードＢＣには記録せず、後述するターミナルコントローラ１０に記憶させてある。
【００２８】
図１に示すように、本実施の形態のパチンコ遊技システムでは、それぞれ「島」と呼ばれるグループごとに複数のパチンコ機２０およびカード処理装置３０が並設してあるとともに、各島にカード発行機４０、カード精算機５０などが適宜設けてある。パチンコ機２０は、パチンコ玉を遊技領域に発射して利用客が遊技を行う部分である。
【００２９】
カード処理装置３０は、会員カードＭＣやプリペイドカードＢＣに関連づけられた残度数を上限とするパチンコ玉の貸し出し処理を主機能とするものである。このカード処理装置３０は、遊技店に設置された複数のパチンコ機２０それぞれに対して１台ずつペアとなるように用意され、パチンコ機２０の相互間に挟まれる形で設置してある。そして、このカード処理装置３０には、本発明の特徴である表示装置２７がそれぞれ設けられている。なお、この表示装置２７の詳細については、後述する。
【００３０】
カード発行機４０は、プリペイドカードＢＣの発行処理、並びにプリペイドカードＢＣおよび会員カードＭＣに関連づけられたそれぞれの度数に対する加算処理を主機能とするものであり、遊技店に数台ずつ設置してある。カード精算機５０は、会員カードＭＣやプリペイドカードＢＣに関連づけられた度数を現金として払い戻す処理を主機能とするもので、遊技店に数台ずつ設置してある。
【００３１】
これらのパチンコ機２０、カード処理装置３０、カード発行機４０およびカード精算機５０は、各島に設けた島コントローラ６０を通じてターミナルコントローラ１０と称される管理装置の制御下にある。このターミナルコントローラ１０は、遊技店に少なくとも１台設置してあり、設置した遊技店の統括管理、例えばカード管理、会員の管理、売上管理等を行うとともに、上述したように、会員カードＭＣおよびプリペイドカードＢＣ個々の有価価値に関する情報を記憶管理する部分である。
【００３２】
図２は、ターミナルコントローラ１０の内部構成を示すブロック図である。ターミナルコントローラ１０のＲＡＭ１１は、度数管理テーブルＤＴおよび優先順位管理テーブルＵＴなどの各種管理情報を格納する部分である。
【００３３】
度数管理テーブルＤＴは、図３（ａ）および図３（ｂ）に示すように、会員カードＭＣ、プリペイドカードＢＣの種別毎に、カードの識別情報と、その度数情報とを対応づけて格納したものである。
【００３４】
優先順位管理テーブルＵＴは、図４（ａ）および図４（ｂ）に示すように、会員カードＭＣ、プリペイドカードＢＣの種別毎に、種別（現金決済、デビット決済、再プレイ決済）に優先的に度数を消化する順位を対応づけて格納したものである。
【００３５】
度数管理テーブルＤＴのカード識別情報とは、会員カードＭＣの場合に会員コードに相当し、プリペイドカードＢＣの場合にそれぞれの固有識別コードに相当する。度数管理テーブルＤＴの度数情報は、会員カードＭＣの場合、現金決済分、デビット決済分、貯玉決済分に分けて管理してある。
【００３６】
デビット決済分に関しては、現金決済分と同様に、購入した度数、使用した度数および残度数に加え、手数料の金額についてもカード識別情報に対応付けて管理してある。また、貯玉分に関しては、その内訳を総貯玉、再プレイとしている。
【００３７】
一方、プリペイドカードＢＣの場合、貯玉システムは適用されないため現金決済分、デビット決済分とに分けて管理してある。現金決済分およびデビット決算分の内訳は、初期の度数、追加した度数、使用した度数および残度数である。
【００３８】
優先順位管理テーブルＵＴの優先順位（１〜３）とは、３種類の現金決済、デビット決済、再プレイ決済について優先的に消化する順位を対応づけて設定するものである。この優先消化順位の詳細については後述する。
【００３９】
そして、度数管理テーブルＤＴに格納されたそれぞれの度数情報は、通信インターフェース部１２（通信Ｉ／Ｆ部）を通じて読み出し要求があった場合にはＣＰＵ１３によって都度ＲＡＭ１１から読み出される一方、減算更新要求や加算更新要求があった場合にはＣＰＵ１３によって適宜更新されることになる。
【００４０】
ＣＰＵ１３は、ＲＯＭ１４に格納されたプログラムに基づいて上述した各種処理を実現するための部分である。なお、図中の符号１５は、上述した各種管理情報を表示するための表示部、また符号１６は、オペレータが設定を行う際に操作する入出力部である。
【００４１】
図５は、本実施の形態で適用するパチンコ機２０およびカード処理装置３０の外観を示した正面図、図６は、カード処理装置３０の内部構成を示す機能ブロック図である。以下、これらの図を参照しながら、パチンコ機２０およびカード処理装置３０の構成について説明する。
【００４２】
ここで、本発明における遊技システムの特徴は、カード処理装置３０に、複数の入金種別（現金、デビット決済、貯玉）に対応してそれぞれ関連付けられた有価価値を価値付け数値として表示する表示装置２７を備え、この表示装置２７は、遊技により更新される度数値の更新機能、種別に対して度数を更新する優先消化順位を設定する機能とを備えることである。
【００４３】
また、その処理は、（１）入金処理、（２）表示処理、（３）操作処理から成り、（１）の入金処理は、カード発行機４０やカード処理装置３０によりおこなわれる処理であり、プリペイドカードＢＣ、会員カードＭＣに対して現金、デビット決済、貯玉による３種類の種別に基づき有価価値（度数）を付与する処理である。具体的には、カード発券機４０にプリペイドカードＢＣ、会員カードＭＣを挿入することで入金が可能となる。
【００４４】
また、カード処理装置３０にプリペイドカードＢＣ、会員カードＭＣを挿入した状態で、現金を投入したり、貯玉による引き落とし（指定）を併用することも入金として可能である。（２）の表示処理は、度数が入金されたプリペイドカードＢＣまたは、会員カードＭＣをカード処理装置３０に挿入することにより、表示装置２７の表示画面２９に各入金種別に対応する度数内訳を表示することである。
【００４５】
（３）の操作処理は、表示装置２７の各操作キーを設定することにより優先的に消化したい種別（有先消化順位）を設定する処理のことである。以上のように、本発明では、カード処理装置３０に表示装置２７を設けたことに特徴があるため。以下、カード処理装置３０および表示装置２７を中心に説明する。
【００４６】
カード処理装置３０は、外見上縦長に構成したもので、その前面パネルの一端（図で、左側）に、本発明の特徴である表示装置２７が設けられている。この表示装置２７は、表示制御をおこなう表示制御部２８により、その表示内容が制御される。この表示制御部２８は、貸出制御部３００（図６）に接続されている。
【００４７】
また、この前面パネルには、カードランプ３１ａ、現金ランプ３１ｂ、紙幣投入口３２、硬貨投入口３３、金額表示部３６、金額設定スイッチ３７ａ、端数設定スイッチ３７ｂ、硬貨返却口３８およびカード挿入口３９を有している。カードランプ３１ａおよび現金ランプ３１ｂは、貸出制御部３００からの制御信号に基づいて点灯し、会員カードＭＣ、プリペイドカードＢＣおよび現金の受け付け可能状態を利用客に報知するためのものである。
【００４８】
紙幣投入口３２は、紙幣を受け入れてこれをＢＶ（ビルバリ）ユニット部３０１に取り込むための開口である。ＢＶユニット部３０１は、取り込まれた紙幣の金種を識別し、この識別結果を貸出制御部３００に与えるとともに、取り込んだ紙幣を島端回収ボックスに搬出させるべく紙幣搬送路３０２へ導出する部分である。硬貨投入口３３は、硬貨を受け入れてこれをコインセレクタ部３０３に取り込むための開口である。コインセレクタ部３０３は、取り込んだ硬貨の金種を識別し、この識別結果を貸出制御部３００に与えるとともに、取り込んだ硬貨を島端回収ボックスに搬出させるべく硬貨搬送路３０４へ導出する部分である。
【００４９】
金額設定スイッチ３７ａは、後述するパチンコ機２０の貸出スイッチ２４を１回操作する毎に貸し出されるパチンコ玉の金額（貸し出し単位）を利用客が設定するためのものである。カード挿入口３９は、会員カードＭＣ、プリペイドカードＢＣを受け入れてこれをカード処理部３０５に取り込むための開口である。
【００５０】
カード処理部３０５は、取り込んだ会員カードＭＣ、プリペイドカードＢＣの記録情報を読み取り、その読み取り結果を貸出制御部３００に与える処理をおこなう部分である。
【００５１】
一方、遊技機であるパチンコ機２０には、遊技領域２１の下方に設けた上皿２２に度数表示部２３、貸出スイッチ２４および返却スイッチ２５を設けてある。度数表示部２３は、カード処理装置３０のカード処理部３０５に会員カードＭＣ、プリペイドカードＢＣが取り込まれた場合、この会員カードＭＣ、プリペイドカードＢＣに関連づけられた残度数を数値表示するための部分である。
【００５２】
貸出スイッチ２４は、パチンコ玉を借り受ける際に利用客がＯＮ操作するスイッチである。返却スイッチ２５は、ＯＮ操作した場合に、カード処理部３０５に取り込まれた会員カードＭＣ、プリペイドカードＢＣを利用客に返却するスイッチである。これら貸出スイッチ２４および返却スイッチ２５のＯＮ操作検出信号は、それぞれカード処理装置３０の貸出制御部３００に与えられることになる。
【００５３】
また、上記パチンコ機２０には、その内部に玉投出手段２６が設けてある。玉投出手段２６は、カード処理装置３０の貸出制御部３００から打球投出要求が与えられた場合、並びにパチンコ機２０の図示せぬ制御手段から賞球投出要求が与えられた場合に、それぞれパチンコ機２０の上皿２２に所定数のパチンコ玉を投出する部分である。
【００５４】
上記のように構成したカード処理装置３０では、まず、貸出待機状態においてカード挿入口３９に会員カードＭＣ、プリペイドカードＢＣが挿入されると、貸出制御部３００は、カード処理部３０５を通じて当該会員カードＭＣ、プリペイドカードＢＣに磁気記録されたカード識別情報を読み取り、このカード識別情報を含めてターミナルコントローラ１０に残度数の問い合わせを行った後、回答の受信待機状態となる。この間、カード処理装置３０からの問い合わせを受信したターミナルコントローラ１０では、カード識別情報に基づいてＲＡＭ１１（図２）の度数管理テーブルＤＴから対応する会員カードＭＣ、プリペイドカードＢＣの残度数を読み出し、これをカード処理装置３０に転送する。
【００５５】
ターミナルコントローラ１０から残度数を受信した貸出制御部３００は、これをメモリ３０６に格納するとともに、パチンコ機２０の度数表示部２３を通じてその表示を行った後、操作待機状態となる。操作待機状態において貸出スイッチ２４がＯＮ操作されると、金額設定スイッチ３７ａで設定された金額分のパチンコ玉を投出すべく、パチンコ機２０の玉投出手段２６に対して打球投出要求を与える。その後、メモリ３０６に格納した残度数を設定金額に応じて減算更新するとともに、カード識別情報を含めてターミナルコントローラ１０に、設定金額に応じた残度数の減算更新要求を行う。
【００５６】
一方、上記操作待機状態において紙幣もしくは硬貨が投入されると、コインセレクタ部３０３、あるいはＢＶユニット部３０１を通じてその入金額を取得し、メモリ３０６に格納した残度数を入金額に応じて加算更新するとともに、カード識別情報を含めてターミナルコントローラ１０に、入金額に応じた残度数の加算更新要求を行う。
【００５７】
以下、上述した動作が繰り返し行われることにより、会員カードＭＣ、プリペイドカードＢＣに関連づけられた残度数を上限とするパチンコ玉の貸し出しが行われ、当該パチンコ玉によって利用客のパチンコ遊技が可能になる。これらの処理の間においても、返却スイッチ２５をＯＮ操作すれば、それぞれの処理が中断され、会員カードＭＣ、プリペイドカードＢＣや貨幣が利用客に返却されることになる。
【００５８】
なお、上述したパチンコ遊技システムでは、カード処理装置３０においても残度数の加算更新および減算更新を行うようにしているが、パチンコ玉の貸出情報や貨幣の入金情報をターミナルコントローラ１０に送出し、該ターミナルコントローラ１０のみが加算更新や減算更新を行うようにしてももちろんよい。
【００５９】
ここで、会員カードＭＣ、プリペイドカードＢＣ以外に適用されるデビットカードについて説明する。このデビットカードが挿入されるデビット子機７０は公衆回線網１０００を通じて情報処理センタ１００１にアクセスし、入金にともなう選択情報に応じた決済処理を行う。この決済処理は、例えば以下の手順で実現することができる。
【００６０】
デビット子機７０における通信インターフェース部（図示せず）は、公衆回線網１０００を通じてデビットカードシステムの情報処理センタ１００１に接続されるとともに、クリアリングセンタ１０１１を含むＣＡＦＩＳ（Ｃｒｅｄｉｔ　ａｎｄ　Ｆｉｎａｎｃｅ　Ｉｎｆｏｒｍａｔｉｏｎ　Ｓｙｓｔｅｍ）ネットワーク１０１０、並びに利用客の口座を有するデビットカード発行銀行１０２０、情報処理センタ１００１の口座を有する加盟店銀行１０４０に接続されている。
【００６１】
すなわち、デビット子機７０は取得したデビットカードＤＣの読み取り情報および暗証番号とを含む決済代行・通信代行（決済要求）を情報処理センタ１００１に送出し、該情報処理センタ１００１からの決済処理終了通知を待つ。
【００６２】
決済要求を受信した情報処理センタ１００１は、当該決済要求に含まれる各種情報に基づいてＣＡＦＩＳネットワーク１０１０のクリアリングセンタ１０１１に決済処理を依頼する。依頼を受けたクリアリングセンタ１０１１は、デビットカード発行銀行（利用客の口座を有する銀行）、加盟店銀行１０４０（情報処理センタ１００１の口座を有する銀行）の間で決済処理を行う。
【００６３】
この決済処理による即時実行処理が終了すると、クリアリングセンタ１０１１は、直ちに情報処理センタ１００１に対して処理が終了した旨の通知を行う。
通知を受けた情報処理センタ１００１は、この通知に基づき、決済要求を送出したデビット子機７０に対して決済終了通知を送信する。なお、即時実行分以外の決済処理は、予め決められた期間（例えば３営業日）の経過後に実施され、上述したクリアリングセンタ１０１１や情報処理センタ１００１のセンタ手数料を差し引いた代金が、○○銀行１０５０が有するカード会社センタ１０６０の口座に振り込まれる。
【００６４】
さらにその後、カード会社と遊技店との取り決めに従い、○○銀行１０５０におけるカード会社センタ１０６０の口座から△△銀行１０７０が有する遊技店の口座に対して、最終的に、会員カードＭＣ、プリペイドカードＢＣの使用度数に基づいて算出される代金が振り込まれることになる。
【００６５】
以下、本発明の特徴である表示装置２７について、図５、７を参照して詳細に説明する。図７は、表示装置２７の拡大図を示している。すなわち、図７に示すように表示装置２７は、四角形型の表示モニタ（ＬＣＤ）として構成されており、そのモニタ角度は任意の方向に調節自在となっている。
【００６６】
そして、表示装置２７は、カード処理装置のカード挿入口３９（図５）に記録媒体としてのプリペイドカードＢＣが挿入された際に、このプリペイドカードＢＣに予め付与されている有価価値（度数）を、種類別（現金、デビット決済）に表示する機能を有している。
【００６７】
また、記録媒体が会員カードＭＣの場合にも、同様に予め会員カードＭＣに付与されている有価価値（度数）を、種類別（現金、デビット決済、貯玉）に表示する機能を有している。現金（硬貨）を紙幣投入口３２（硬貨投入口３３）に投入した際にも、表示装置２７の表示画面２９には、投入された現金額に応じた度数分を表示することができる。
【００６８】
従って、表示装置２７の表示画面２９に表示される種類（内訳）は、（１）現金入金分（投入金額）、デビット決済分、貯玉分、（２）現金入金分（投入金額）とデビット決済分の加算値、貯玉分、（３）現金入金分（投入金額）、貯玉分の３パターンである。従って、デビット決済機能がない遊技システムにおいても、本発明は適用可能である。
【００６９】
また、８０は選択キーで、この選択キー８０により表示画面２９に表示される３種類の種別（現金、デビット決済、貯玉）のうちのいずれかの１種類を任意に選択することができる。８１は確認／設定キーで、この確認／設定キー８１により表示される度数内訳の確認および設定をおこなうことができる。
【００７０】
８２は、優先順位設定キーで、後述するようにこの優先順位設定キー８２により、入金されている度数の内、何れかの種別から優先的に消化していくかの設定をおこなうことができる。
【００７１】
また、８３は、表示画面選択キーで、この表示画面選択キー８３を操作することにより、表示画面２９をカラー表示（モノクロ表示）、拡大表示（文字の拡大、縮小）などに変更したり、アニメーション表示など種々の表示画面に切り換える設定をおこなうことができる。
【００７２】
なお、本例では、選択キー８０、確認／設定キー８１などによるキー操作で表示装置２７を制御するようにしているが表示画面２９をタッチパネル画面とし、タッチパネル制御による操作を採用してもよい。
【００７３】
図８は、表示装置２７による表示画面２９の構成および表示例を示している。同図に示すように、表示画面２９は、種別度数の内訳として現金、デビット、再プレイの３個のフィールドを有しており、これら各フィールドに対応する有価価値の数値（度数）が会員カードＭＣ、プリペイドカードＢＣ、現金の挿入時にそれぞれ表示される。また、この度数表示は、遊技客の遊技（パチンコ玉の打ち出し）に伴って、保有している度数の更新（減算）がその都度おこなわれるものとなる。
【００７４】
次いで、図９は入金されている度数の内、何れかの種別（現金、デビット、再プレイ）から優先的に使用し消化していくかの設定をおこなう優先順位設定キー８２の押下時に表示される優先消化順位表示画面を示している。
【００７５】
次いで、図１０（ａ）、（ｂ）、（ｃ）は、表示画面２９の表示例を順に説明した図である。ここで、以下、遊技客（会員Ａ氏）による操作手順を説明する。すなわち図１０（ａ）は、遊技開始時における表示装置２７（表示画面２９）の状態を示している。ここで、本例では、会員Ａ氏により、カード処理装置３０の紙幣投入口３２（硬貨投入口３３）に現金１５００円が投入されており、さらに会員カードによるデビット決済（３０００円）および再プレイ（貯玉）金額が５００円である場合を示すこととする。
【００７６】
表示画面２９には、現金のフィールドに対応して、１５００円の表示が、デビット決済のフィールドに対応して、３０００円の表示が、再プレイのフィールドに対応して、５００円の表示がそれぞれ表示される。また、合計度数のフィールドに合計値として、５０００円（５０度）を示す表示がおこなわれる。
【００７７】
次いで、図１０（ａ）の状態から会員Ａ氏による優先順位設定キー８２の押下で、図１０（ｂ）に示す優先選択表示画面が表示される。そして、この優先順序設定画面により、３種別（現金、デビット、再プレイ）のうちから度数消化をおこなう優先順位を設定することとなる。
【００７８】
図１０（ｃ）は会員Ａ氏による優先消化順位の設定後の表示画面２９を示しており、この例では、選択キー８０により現金、デビット、再プレイの順で選択し、確認／設定キー８１の押下によりそれぞれの順位が設定してある。このように設定された優先消化順位に基づいて、以下、種別の度数に対応した更新処理がおこなわれる。
【００７９】
具体的には、ターミナルコントローラ１０（図２）のＣＰＵ１３により、優先順位が１と設定された現金決済による残度数からの減算更新を実施し、その残度数が０となった時点で、次いで優先順位が２と設定されたデビット決済による残度数から減算更新を実施し、その残度数が０となった時点で、最後は優先順位が３と設定された貯玉決済による残度数の消化処理がおこなわれる。このように、表示装置２７による操作で設定された種別に基づく優先消化順位は、前述した図４（ａ）、（ｂ）の優先順位管理テーブルＵＴ内に格納される（会員および一般に区分）。
【００８０】
以下、本発明の遊技システムにおける処理手順について詳細に説明する。図１１は、カード発行機４０での処理手順を示すフローチャートである。すなわち、先ず、カード発行機４０を利用する遊技客が会員であるか非会員（一般遊技客）であるかの判定をおこなう（ステップＳ１００）。
【００８１】
この判定により、遊技客が会員である場合には、この会員によりカード発行機の会員カード挿入／返却口（図示せず）に会員カードＭＣが挿入（セット）され（ステップＳ１０１）、次いで、会員により有価価値を購入（取得）する方法の選択がおこなわれる（ステップＳ１０２）。
【００８２】
ここで、有価価値（度数）の取得方法としては、▲１▼現金による購入、▲２▼デビット決済による購入、▲３▼貯玉システム（再プレイ）の利用による購入、の３種類の選択があり、会員（非会員）は、これらからいずれかを選択して（ステップＳ１０３）、希望の選択方法により有価価値（度数）の購入をおこなう。
【００８３】
次いで、再度（ステップＳ１０４）により対象となる遊技客が会員である場合（ステップＳ１０４肯定）、会員カードＭＣに対して、選択された種別に基づいて購入度数の入金がおこなわれる（ステップＳ１０５）。以下、全ての処理を終えて会員カードＭＣの排出がおこなわれる（ステップＳ１０７）。
【００８４】
一方、（ステップＳ１０４）の判定により一般遊技客と判定された場合には（ステップＳ１０４否定）、この一般遊技客が投入した現金分（購入度数分）のプリペイドカードＢＣの発券がおこなわれ、その処理を終了する。このプリペイドカードＢＣには、購入度数分の金額の他、発行店の識別情報、カード固有の識別コード、カード種別等が磁気記録してあるとともに、発行店名、カード固有識別情報（例えば発行機番号＋連番）、発行金額および有効期限などが目視できるように印字してある。
【００８５】
図１２は、カード処理装置３０における表示装置２７の処理手順を示すフローチャートである。すなわち、先ず、カード処理装置３０に会員カードＭＣ（プリペイドカードＢＣ）のセットが有るか否かの判定がおこなわれる（ステップＳ２００）。
【００８６】
具体的には、遊技客による遊技の開始（パチンコ玉の打ち出し）を判断する処理であり、カード処理装置３０のカード挿入口３９（図５）に会員カードＭＣ（プリペイドカードＢＣ）が挿入されているかの確認がおこなわれる。
【００８７】
そして、会員カードＭＣ（プリペイドカードＢＣ）のセットを確認した場合には（ステップＳ２００肯定）、表示装置２７の表示画面２９に会員カードＭＣ（プリペイドカードＢＣ）に付与されている有価価値（度数）の内訳が、図８に示すように種類別（現金、デビット決済、貯玉）に表示される（ステップＳ２０１）。ここで、表示画面選択キー８３を操作することにより、表示画面２９をカラー表示（モノクロ表示）、拡大表示（文字の拡大、縮小）などに変更したり、アニメーション表示など種々の表示画面に切り換える設定をおこなってもよい。
【００８８】
次いで、各種類別の度数に対する優先消化順位の選択をおこなうか否かの判定がおこなわれる（ステップＳ２０２）。そして、優先消化順位の選択をおこなう場合には（ステップＳ２０２肯定）、優先順位設定キー８２の設定により優先消化順位の設定をおこなうことができる（ステップＳ２０３）。具体的には、優先順位設定キー８２を操作して、優先順序設定画面を表示させた後、優先的に度数を消化する順位を選択し、確認／設定キー８１の押下により設定する。
【００８９】
次いで、貸出処理の指示についての判定がおこなわれ（ステップＳ２０４）、この指示がある場合には（ステップＳ２０４肯定）、その貸出処理を実行する（ステップＳ２０５）。ここで、ステップＳ２０４の判定により貸出処理の指示がない場合には（ステップＳ２０４否定）、ステップＳ２０７の遊技終了を判定する処理に移行する。ステップ２０５に戻り、貸出処理の実行時には、内訳表示の更新がおこなわれる（ステップＳ２０６）。以下、遊技が終了したか否かの判定がおこなわれ（ステップＳ２０７）、遊技が終了している場合には（ステップＳ２０７肯定）、会員カードＭＣの排出により処理を終了とする（エンド）。なお、ステップＳ２０７の判定により遊技が終了していない場合には（ステップＳ２０７否定）、再度ステップＳ２０４に戻り、このステップＳ２０４からの処理を繰り返す。
【００９０】
以上のように、本実施の形態によれば、カード処理装置３０に表示装置２７を設けることにより、この表示装置２７の表示により遊技客個人が保有するプリペイドカードＢＣ、会員カードＭＣの度数内訳を正確に確認することができるうえ、遊技により更新される度数値を種類別に正確且つ容易に把握することができる。
【００９１】
【発明の効果】
以上説明したように、請求項１に係る発明によれば、それぞれ種類が異なる複数の入金種別によって、有価価値を記憶媒体に関連付ける有価価値付与手段と、前記記憶媒体に基づく、当該記憶媒体に関連付けられた有価価値を取得するとともに、前記有価価値に応じて遊技媒体の貸出処理をおこなう貸出処理手段を有する記録媒体処理装置とを備え、当該記録媒体に関連付けられた有価価値を用いて遊技をおこなう遊技システムであって、前記記録媒体処理装置には、前記複数の入金種別に対応してそれぞれ関連付けられた有価価値を価値付け数値として表示する表示装置が備えられているので、遊技客個人が保有する種別による度数分の内訳を表示装置の表示に基づいて、正確且つ容易に確認することができるため遊技客の利便性を向上することができるという効果を奏する。
【００９２】
請求項２に係る発明によれば、請求項１に係る発明において、前記貸出処理手段による遊技媒体の貸出処理にともなって前記有価価値の価値付け数値を更新する更新処理機能を有するとともに、その更新内容に応じた表示制御をおこなう表示制御手段をさらに備えるので、遊技客は遊技にともなって消化される有価価値（度数）が、どの種別により順次消化されているのかを表示により正確且つ容易に把握することができるという効果を奏する。
【００９３】
請求項３に係る発明によれば、請求項１または２に係る発明において、前記価値付け数値として設定された有価価値の消化順序を選択する消化順序選択手段をさらに備え、前記記憶媒体に関連付けられる有価価値のうち、前記消化順序選択手段により設定された消化順序に基づいて、前記貸出制御手段による貸出処理がおこなわれるので、遊技客の操作に基づいて種別による消化順序を設定できるとともに、遊技にともなって消化される有価価値（度数）を表示により正確且つ容易に把握することができるという効果を奏する。
【００９４】
請求項４に係る発明によれば、請求項１〜３のいずれか一つに記載の発明において、前記複数の入金種別による入金の選択は、現金による入金に基づいて関連付けられる第一の度数入金、デビット決済による入金に基づいて関連付けられる第二の度数入金、貯玉による入金に基づいて関連付けられる第一の度数入金のうちのいずれかを選択可能であるので、遊技客個人が保有する種別による度数分の内訳を表示装置の表示に基づいて、正確且つ容易に確認することができるため遊技客の利便性を向上することができるという効果を奏する。
【００９５】
請求項５に係る発明によれば、請求項１〜４のいずれか一つに記載の発明において、前記表示装置による前記有価価値を表す価値付け数値は、度数に換算されて表示されるので、遊技客個人が保有する種別による度数分の内訳を表示装置の表示に基づいて、正確且つ容易に確認することができるため遊技客の利便性を向上することができるという効果を奏する。
【００９６】
請求項６に係る発明によれば、請求項２〜５のいずれか一つに記載の発明において、前記表示制御手段は、前記表示装置の表示画面に表示される表示内容を拡大表示画面、カラー表示画面、アニメーション表示画面などに変更自在な画面変更処理機能をさらに備えるので、遊技客個人の度数内訳を正確に把握することができるうえ、遊技客の利便性および視覚により遊技意欲の向上を図ることができるという効果を奏する。
【図面の簡単な説明】
【図１】本発明に係る遊技システムの概略構成を示す機能ブロック図である。
【図２】ターミナルコントローラの内部構成を示す機能ブロック図である。
【図３】ターミナルコントローラに格納された度数管理テーブルを例示するもので、（ａ）は会員用の、（ｂ）は一般利用客用の度数管理テーブルをそれぞれ示す図表である。
【図４】ターミナルコントローラに格納された優先順位管理テーブルを例示するもので、（ａ）は会員用の、（ｂ）は一般利用客用の優先順位管理テーブルをそれぞれ示す図表である。
【図５】カード処理装置およびパチンコ機の正面図を示す図である。
【図６】カード処理装置の内部構成を示すブロック図である。
【図７】表示装置による表示画面の構成を示す図である。
【図８】表示装置による表示画面の表示例を示す図である。
【図９】優先順位表示画面による表示画面の構成および表示例を示す図である。
【図１０】（ａ）は種類別の度数内訳表示画面を、（ｂ）は、優先順位設定時の表示画面を、（ｃ）は、優先順位設定後の表示画面をそれぞれ示す図である。
【図１１】カード発行機で実施される処理の内容を示すフローチャートである。
【図１２】カード処理装置で実施される処理の内容を示すフローチャートである。
【符号の説明】
１０　ターミナルコントローラ
１１　ＲＡＭ
１２　通信インターフェース部
２０　パチンコ機
２１　遊技領域
２２　上皿
２３　度数表示部
２４　貸出スイッチ
２５　返却スイッチ
２６　玉投出手段
２７　表示装置
２８　表示制御部
２９　表示画面
３０　カード処理装置
３１ａ　カードランプ
３１ｂ　現金ランプ
３２　紙幣投入口
３３　硬貨投入口
３６　金額表示部
３７ａ　金額設定スイッチ
３７ｂ　端数設定スイッチ
３８　硬貨返却口
３９　カード挿入口
４０　カード発行機
５０　カード精算機
６０　島コントローラ
７０　デビット子機
８０　選択キー
８１　確認／設定キー
８２　優先順位設定キー
８３　表示画面選択キー
３００　貸出制御部
３０１　ＢＶユニット
３０２　紙幣搬送路
３０３コインセレクタ部
３０４　硬貨搬送路
３０５　カード処理部
３０６　メモリ
１０００　公衆回線網
１００１　情報処理センタ
１０１０　ＣＡＦＩＳネットワーク
１０１１　クリアリングセンタ
１０２０　デビットカード発行銀行
１０４０　加盟店銀行
１０５０　○○銀行
１０６０　カード会社センタ
１０７０　△△銀行
ＢＣ　プリペイドカード
ＤＴ　度数管理テーブル
ＵＴ　優先順位管理テーブル
ＭＣ　会員カード
【図１】
2004065592.tif 000003
【図２】
2004065592.tif 000004
【図３】
2004065592.tif 000005
【図４】
2004065592.tif 000006
【図５】
2004065592.tif 000007
【図６】
2004065592.tif 000008
【図７】
2004065592.tif 000009
【図８】
2004065592.tif 000010
【図９】
2004065592.tif 000011
【図１０】
2004065592.tif 000012
【図１１】
2004065592.tif 000013
【図１２】
2004065592.tif 000014